(57)【要約】【課題】通信装置に電力消費を課すことなく接続状態検出部の検出状態を無線によって通信相手に伝送することができる通信システム及び通信方法を提供する。【解決手段】通信装置２内の記憶領域７の制御線８（第２制御線８ｂ）を装置外に引き出し、この制御線８に接続状態検出部１５を接続する。状態判定部１９は、通信装置２との近距離無線（ＲＦＩＤ通信）を通じて、通信装置２の規定の記憶領域７にアクセスして、データ読み出しを行う。状態判定部１９は、通信装置２の記憶領域７へのアクセス時に所望データの読み出しができるか否かを確認することにより、間接的に接続状態検出部１５のオンオフを検出する。【選択図】図１
2017097617.tif 000002
【特許請求の範囲】
【請求項１】
オンオフ状態を検出可能な接続状態検出部の検出状態を、通信装置及びその通信相手の間の近距離無線を通じて、前記通信装置から前記通信相手に送信する通信システムにおいて、
前記通信装置の制御部が当該通信装置の記憶領域を制御するときの状態を、前記接続状態検出部の状態に応じて切り替えることが可能な状態切替部と、
複数設けられた前記記憶領域のうち特定の記憶領域にアクセスすることによって、規定の読み出し結果を得ることができたか否かを確認することにより、前記接続状態検出部がオン又はオフのいずれの状態にあるのかを判定する状態判定部と
を備えたことを特徴とする通信システム。
【請求項２】
前記状態判定部は、前記通信相手に設けられている
請求項１に記載の通信システム。
【請求項３】
前記接続状態検出部は、スイッチ又はセンサである
請求項１又は２に記載の通信システム。
【請求項４】
前記状態切替部は、前記通信装置の記憶領域から当該通信装置の外部に引き出されて前記接続状態検出部に接続された制御線であり、
前記状態判定部は、複数設けられた前記記憶領域のうち、前記制御線に繋がる記憶領域にアクセスすることによって、規定の読み出し結果を得ることができたか否かを確認することにより、前記接続状態検出部がオン又はオフのいずれの状態にあるのかを判定する
請求項１〜３のうちいずれか一項に記載の通信システム。
【請求項５】
前記通信装置の制御部は、複数の前記記憶領域のうち制御するものを選択するにあたり、Ｈｉ信号及びＬｏ信号の組み合わせによって、特定の１つの前記記憶領域を選択するように作動し、前記状態判定部は、前記接続状態検出部がオフとなったときに前記Ｈｉ信号がＬｏ状態に切り替わってしまう前記記憶領域にアクセスすることにより、前記接続状態検出部がオン又はオフのいずれの状態にあるのかを判定する
請求項４に記載の通信システム。
【請求項６】
前記状態切替部は、前記制御部のリードライト機能を制御するリードライト制御部であって、前記接続状態検出部の状態に応じてリードライト機能が切り替えられ、
前記状態判定部は、特定の前記記憶領域から規定の読み出し結果を得ることができたか否かを確認することにより、前記接続状態検出部がオン又はオフのいずれの状態にあるのかを判定する
請求項１〜３のうちいずれか一項に記載の通信システム。
【請求項７】
前記状態切替部は、前記制御部のアンチコリジョン機能のオンオフを制御するアンチコリジョン制御部であって、前記接続状態検出部の状態に応じて、アンチコリジョン機能のオンオフが切り替えられ、
前記状態判定部は、アンチコリジョンに沿ってデータ送受信が実行できるか否かを確認することにより、前記接続状態検出部がオン又はオフのいずれの状態にあるのかを判定する
請求項１〜３のうちいずれか一項に記載の通信システム。
【請求項８】
前記接続状態検出部は、組をなすコネクタが完全に挿し込まれた状態となったときに導通するように当該コネクタの双方に設けられた一対の導通部を備え、
前記状態判定部は、前記導通部のオンオフ状態を確認することにより、前記コネクタの半嵌合を検出する
請求項１〜７のうちいずれか一項に記載の通信システム。
【請求項９】
オンオフ状態を検出可能な接続状態検出部の検出状態を、通信装置及びその通信相手の間の近距離無線を通じて、前記通信装置から前記通信相手に送信する通信方法において、
前記通信装置の制御部が当該通信装置の記憶領域を制御するときの状態を、前記接続状態検出部の状態に応じて切り替えるようにし、複数設けられた前記記憶領域のうち特定の記憶領域にアクセスすることによって、規定の読み出し結果を得ることができたか否かを確認することにより、前記接続状態検出部がオン又はオフのいずれの状態にあるのかを判定する
ことを特徴とする通信方法。
【発明の詳細な説明】
【技術分野】
【０００１】
本発明は、接続状態検出部のオンオフの検出状態を無線によって伝送することが可能な通信システム及び通信方法に関する。
【背景技術】
【０００２】
従来、車両に設けられるセンサ装置の一種として、例えばシートベルトリマインダ等が周知である（特許文献１等参照）。シートベルトリマインダの場合、シートベルトの金具がバックルに取り付けられると、バックルに設けられたセンサ（スイッチ）がオンし、シートベルトの金具がバックルから取り外されると、バックルのセンサ（スイッチ）がオフする。
【先行技術文献】
【特許文献】
【０００３】
【特許文献１】特開２００５−７５１２３号公報
【発明の概要】
【発明が解決しようとする課題】
【０００４】
近年、後部座席でもシートベルトを装着する必要があることから、後部座席にもシートベルトリマインダを取り付ける傾向にある。例えば、ワンボックスカーの場合、後部座席はスライド移動できるものが多く、このようなスライド式の座席においてシートベルトリマインダを設けることを想定すると、仮にセンサ出力を有線で取り込むようにした場合、スライド式の座席に配線を通す必要があり、断線等のおそれに繋がる。そこで、シートベルトリマインダを無線出力とすればよいが、この場合はシートベルトの装着を常時監視しようとすると、センサを常時起動させ、センシング情報を無線で車体側に常時送信する必要が生じる。よって、シートベルトに設けるセンサ用の電源を多量に消費してしまう問題があり、何らかの対策が必要であった。
【０００５】
本発明の目的は、通信装置に電力消費を課すことなく接続状態検出部の検出状態を無線によって通信相手に伝送することができる通信システム及び通信方法を提供することにある。
【課題を解決するための手段】
【０００６】
前記問題点を解決する通信システムは、オンオフ状態を検出可能な接続状態検出部の検出状態を、通信装置及びその通信相手の間の近距離無線を通じて、前記通信装置から前記通信相手に送信する構成において、前記通信装置の制御部が当該通信装置の記憶領域を制御するときの状態を、前記接続状態検出部の状態に応じて切り替えることが可能な状態切替部と、複数設けられた前記記憶領域のうち特定の記憶領域にアクセスすることによって、規定の読み出し結果を得ることができたか否かを確認することにより、前記接続状態検出部がオン又はオフのいずれの状態にあるのかを判定する状態判定部とを備えた。
【０００７】
本構成によれば、通信装置と通信相手との近距離無線を通じて通信装置の所望の記憶領域にアクセスされたとき、例えば接続状態検出部がオン状態であれば、所望のデータを読み出すことができるのに対し、接続状態検出部がオフ状態であると、所望のデータを読み出すことができない。これを利用し、通信装置の記憶領域へのアクセス時に所望データの読み出しができるか否かを確認することにより、間接的に接続状態検出部のオンオフを検出する。このように、接続状態検出部のオンオフ状態を確認するにあたって近距離無線を利用するので、通信装置側に電源を必要としない。よって、通信装置に電力消費を課すことなく接続状態検出部の検出状態を無線によって通信相手に伝送することが可能となる。
【０００８】
前記通信システムにおいて、前記状態判定部は、前記通信相手に設けられていることが好ましい。この構成によれば、接続状態検出部の検出状態の判定を通信相手で行うので、この種の機能を通信装置に設けずに済む。
【０００９】
前記通信システムにおいて、前記接続状態検出部は、スイッチ又はセンサであることが好ましい。この構成によれば、接続状態検出部としてのスイッチやセンサのオンオフ状態を、通信装置及びその通信相手の間の近距離無線を通じて、間接的に検出することが可能となる。
【００１０】
前記通信システムにおいて、前記状態切替部は、前記通信装置の記憶領域から当該通信装置の外部に引き出されて前記接続状態検出部に接続された制御線であり、前記状態判定部は、複数設けられた前記記憶領域のうち、前記制御線に繋がる記憶領域にアクセスすることによって、規定の読み出し結果を得ることができたか否かを確認することにより、前記接続状態検出部がオン又はオフのいずれの状態にあるのかを判定することが好ましい。この構成によれば、制御線を外部に引き出して、これを接続状態検出部に接続するという簡素な構成とすることが可能となる。
【００１１】
前記通信システムにおいて、前記通信装置の制御部は、複数の前記記憶領域のうち制御するものを選択するにあたり、Ｈｉ信号及びＬｏ信号の組み合わせによって、特定の１つの前記記憶領域を選択するように作動し、前記状態判定部は、前記接続状態検出部がオフとなったときに前記Ｈｉ信号がＬｏ状態に切り替わってしまう前記記憶領域にアクセスすることにより、前記接続状態検出部がオン又はオフのいずれの状態にあるのかを判定することが好ましい。この構成によれば、接続状態検出部の接続状態の確認時にアクセスする記憶領域を最適に設定することが可能となる。
【００１２】
前記通信システムにおいて、前記状態切替部は、前記制御部のリードライト機能を制御するリードライト制御部であって、前記接続状態検出部の状態に応じてリードライト機能が切り替えられ、前記状態判定部は、特定の前記記憶領域から規定の読み出し結果を得ることができたか否かを確認することにより、前記接続状態検出部がオン又はオフのいずれの状態にあるのかを判定することが好ましい。この構成によれば、制御部が予め有するリードライト機能を利用して、接続状態検出部のオンオフを検出することが可能となる。
【００１３】
前記通信システムにおいて、前記状態切替部は、前記制御部のアンチコリジョン機能のオンオフを制御するアンチコリジョン制御部であって、前記接続状態検出部の状態に応じて、アンチコリジョン機能のオンオフが切り替えられ、前記状態判定部は、アンチコリジョンに沿ってデータ送受信が実行できるか否かを確認することにより、前記接続状態検出部がオン又はオフのいずれの状態にあるのかを判定することが好ましい。この構成によれば、制御部が予め有するアンチコリジョン機能を利用して、接続状態検出部のオンオフを検出することが可能となる。
【００１４】
前記通信システムにおいて、前記接続状態検出部は、組をなすコネクタが完全に挿し込まれた状態となったときに導通するように当該コネクタの双方に設けられた一対の導通部を備え、前記状態判定部は、前記導通部のオンオフ状態を確認することにより、前記コネクタの半嵌合を検出することが好ましい。この構成によれば、通信装置及び通信相手の間の近距離無線を通じて、コネクタの半嵌合を検出することが可能となる。
【００１５】
前記問題点を解決する通信方法は、オンオフ状態を検出可能な接続状態検出部の検出状態を、通信装置及びその通信相手の間の近距離無線を通じて、前記通信装置から前記通信相手に送信する方法において、前記通信装置の制御部が当該通信装置の記憶領域を制御するときの状態を、前記接続状態検出部の状態に応じて切り替えるようにし、複数設けられた前記記憶領域のうち特定の記憶領域にアクセスすることによって、規定の読み出し結果を得ることができたか否かを確認することにより、前記接続状態検出部がオン又はオフのいずれの状態にあるのかを判定する。
【発明の効果】
【００１６】
本発明によれば、通信装置に電力消費を課すことなく接続状態検出部の検出状態を無線によって通信相手に伝送することができる。
【図面の簡単な説明】
【００１７】
【図１】第１実施形態の通信システムの構成図。
【図２】記憶領域を選択する制御の動作をまとめた表。
【図３】通信システムの動作ロジックを示すシーケンス図。
【図４】第２実施形態の通信システムの構成図。
【図５】第３実施形態の通信システムの構成図。
【図６】第４実施形態の通信システムを適用したコネクタ装置の斜視図。
【図７】図６のII−II線とIII−III線の断面図。
【図８】通信システムの概略図。
【発明を実施するための形態】
【００１８】
（第１実施形態）
以下、通信システム及び通信方法の第１実施形態を図１〜図３に従って説明する。
図１に示すように、通信システム１は、通信装置２とその通信相手３とが近距離無線による通信を行うことが可能なシステムである。近距離無線は、例えばＲＦＩＤ（Radio Frequency IDentification）など、通信にあたって通信装置２に電源を必要としないパッシブ型の近距離無線であることが好ましい。通信装置２は、例えばＲＦＩＤタグである。通信装置２は、通信相手３から電源となる電波を受信して駆動し、通信装置２のＩＤコードを認証するＩＤ照合等の通信を実施する。このように、通信装置２は、電源レスで通信相手３との通信が可能である。通信相手３は、例えばＲＦＩＤリーダであることが好ましい。
【００１９】
通信装置２は、通信装置２の動作を制御する制御部６と、複数の記憶領域７とを備える。制御部６は、記憶領域７の読み出しや書き込みを制御する。本例の記憶領域７は、第１記憶領域７ａ、第２記憶領域７ｂ、第３記憶領域７ｃ及び第４記憶領域７ｄの４つ設けられている。これら第１記憶領域７ａ〜第４記憶領域７ｄは、一対の制御線８（８ａ，８ｂ）を通じて制御部６に接続されている。制御部６は、アドレス端子９がアドレス線１０を通じて各記憶領域７に接続され、第１制御線８ａが第１制御端子１１に接続され、第２制御線８ｂが第２制御端子１２に接続されている。
【００２０】
制御部６は、第１制御端子１１及び第２制御端子１２を通じて、データ読み出し書き込み対象の記憶領域７を選択する。本例の制御部６は、複数の記憶領域７のうち制御するものを選択するにあたり、Ｈｉ信号「１」及びＬｏ信号「０」の組み合わせによって、特定の１つの記憶領域７を選択するように作動する。具体的には、第１制御端子１１の出力ｎの「０」、「１」と、第２制御端子１２の出力ｍの「０」、「１」との組み合わせにより、記憶領域７を選択する。
【００２１】
本例の場合、第１制御端子１１及び第２制御端子１２の出力組み合わせからなる制御信号Ｓｒを（ｎ，ｍ）とした場合、第１記憶領域７ａ〜第４記憶領域７ｄのうち、制御信号Ｓｒの（ｎ，ｍ）に対応するものが応答する。具体的には、制御信号Ｓｒが（０，０）のときには、第１記憶領域７ａが選択され、制御信号Ｓｒが（０，１）のときには、第２記憶領域７ｂが選択され、制御信号Ｓｒが（１，０）のときには、第３記憶領域７ｃが選択され、制御信号Ｓｒが（１，１）のときには、第４記憶領域７ｄが選択される。
【００２２】
通信システム１は、オンオフ状態を検出可能な接続状態検出部１５の検出状態を、通信装置２から無線通信を通じて通信相手３に送信する。本例の接続状態検出部１５は、通信装置２とは別の部材であって、例えばスイッチ又はセンサからなる。
【００２３】
また、通信システム１は、通信装置２の制御部６が通信装置２の記憶領域７を制御するときの状態を、接続状態検出部１５の状態に応じて切り替えることが可能な状態切替部１４を備える。本例の状態切替部１４は、通信装置２の記憶領域７から通信装置２の外部に引き出されて接続状態検出部１５に接続された制御線８からなる。すなわち、制御線８（本例は第２制御線８ｂ）は、通信装置２の記憶領域７から装置外に引き出されて、接続状態検出部１５に接続されている。
【００２４】
接続状態検出部１５は、第２制御線８ｂの電気経路を接続又は遮断できるように第２制御線８ｂの経路上に配置されている。接続状態検出部１５は、第２制御線８ｂの経路上において第１記憶領域７ａ及び第２記憶領域７ｂの間に配置されている。また、第２制御線８ｂは、抵抗１６を通じてＧＮＤに接続されている。
【００２５】
通信システム１は、接続状態検出部１５の検出状態を判定する状態判定部１９を備える。状態判定部１９は、通信相手３に設けられている。状態判定部１９は、複数設けられた記憶領域７のうち、特定の記憶領域７、すなわち外部に引き出された制御線８（本例は第２制御線８ｄ）に繋がる記憶領域７（本例は第４記憶領域７ｄ）にアクセスすることによって、規定の読み出し結果を得ることができたか否かを確認することにより、接続状態検出部１５がオン又はオフのいずれの状態にあるのかを判定する。また、状態判定部１９は、接続状態検出部１５がオフとなったときにＨｉ信号がＬｏ状態に切り替わってしまう記憶領域７（本例は第４記憶領域７ｄ）にアクセスすることにより、接続状態検出部１５のオンオフ状態を判定する。
【００２６】
次に、図２及び図３を用いて、通信システム１の動作を説明する。
図２に、記憶領域７を選択する制御の動作をまとめた表を図示する。同図に示されるように、制御信号Ｓｒの（ｎ，ｍ）＝（０，０）によって第１記憶領域７ａが選択されたとき、接続状態検出部１５の状態（オン／オフ）に関係なく、第１記憶領域７ａが選択される。すなわち、接続状態検出部１５がオン又はオフのいずれの状態をとっていても、第１記憶領域７ａには制御信号Ｓｒの（０，０）が入力されるので、接続状態検出部１５の状態によらず、第１記憶領域７ａが選択される。
【００２７】
制御信号Ｓｒの（ｎ，ｍ）＝（０，１）によって第２記憶領域７ｂが選択されたとき、接続状態検出部１５がオンのときは、第１記憶領域７ａが選択され、接続状態検出部１５がオフのときは、第１記憶領域７ａ〜第４記憶領域７ｄのどれも選択されない。接続状態検出部１５がオフのときに記憶領域７のどれも選択されないのは、第１記憶領域７ａに（０，１）が入力され、第２記憶領域７ｂ〜第４記憶領域７ｄのいずれにも（０，０）が入力されるからである。
【００２８】
制御信号Ｓｒの（ｎ，ｍ）＝（１，０）によって第３記憶領域７ｃが選択されたとき、接続状態検出部１５の状態（オン／オフ）に関係なく、第３記憶領域７ｃが選択される。すなわち、接続状態検出部１５がオン又はオフのいずれの状態をとっていても、第３記憶領域７ｃには制御信号Ｓｒの（１，０）が入力されるので、接続状態検出部１５の状態によらず、第３記憶領域７ｃが選択される。
【００２９】
制御信号Ｓｒの（ｎ，ｍ）＝（１，１）によって第４記憶領域７ｄが選択されたとき、接続状態検出部１５がオンのときは、第４記憶領域７ｄが選択され、接続状態検出部１５がオフのときは、第３記憶領域７ｃが選択される。接続状態検出部１５がオフのときに第３記憶領域７ｃが選択されるのは、接続状態検出部１５から見て制御部６側には、（１，１）の制御信号Ｓｒが供給されるものの、接続状態検出部１５から見てＧＮＤ側には、（１，０）の制御信号Ｓｒが供給されるからである。
【００３０】
図３に示すように、状態判定部１９（通信相手３）は、接続状態検出部１５のオンオフ状態を確認するタイミングになったとき、通信装置２との近距離無線（アクセス）を実行する。このとき、状態判定部１９は、接続状態検出部１５の検出状態を確認する動作の実施を要求するオンオフ状態確認コマンドＳｔを通信相手３に送信する。オンオフ状態確認コマンドＳｔには、どの記憶領域７（本例は第４記憶領域７ｄ）において、いずれのアドレス（本例は「２０ｈ」）の書込情報を読み出すのかを指示するコマンド情報が含まれる。なお、状態判定部１９は、第４記憶領域７ｄのアドレス「２０ｈ」に書込情報「３Ａ」が書き込まれていることを予め知っていることとする。
【００３１】
ところで、このオンオフ状態確認のアクセスは、定期的に実施されるとよい。なお、通信相手３は、通常、通信相手３（ＲＦＩＤタグ）と定期的な通信を実施しており、ある特定のタイミングにおいて、接続状態検出部１５のオンオフ状態を確認する動作を実施するとよい。
【００３２】
制御部６は、通信相手３からオンオフ状態確認コマンドＳｔを受信すると、これをトリガにして、指示された記憶領域７の指定アドレスについてデータ読み出しを開始する。本例の場合、制御部６は、接続状態検出部１５のオンオフ状態に応じて読み出し結果が切り替わる第４記憶領域７ｄを指定する制御信号Ｓｒの（１，１）を制御線８に出力するとともに、読み出したい書込情報「３Ａ」が書き込まれているアドレス信号（本例は番地「２０ｈ」）をアドレス線１０に出力する。
【００３３】
ここで、接続状態検出部１５が「オフ状態」の場合には、制御信号Ｓｒの（１，１）を出力して第４記憶領域７ｄを選択しようとしたにもかかわらず、第３記憶領域７ｃが選択される。このとき、制御部６（通信装置２）は、ＲＦＩＤ通信において通信相手３に応答を送信するにあたり、第３記憶領域７ｃの指定アドレス領域に書き込まれた書込情報「１Ｆ」を通信相手３に送信する。すなわち、接続状態検出部１５がオフのとき、通信装置２からは、第４記憶領域７ｄではなく、第３記憶領域７ｃの書込情報「１Ｆ」が送信されることになる。
【００３４】
接続状態検出部１５がオフのとき、状態判定部１９は、第４記憶領域７ｄの書込情報「３Ａ」を要求したにもかかわらず、通信装置２から第３記憶領域７ｃの書込情報「１Ｆ」を取得するか、又は通信エラーとなる（通信結果が「ＮＧ」）。状態判定部１９は、通信装置２から受信した書込情報が、所望のものであるか否かを確認することにより、接続状態検出部１５のオン／オフ状態を判定する。接続状態検出部１５がオフのとき、状態判定部１９は、通信装置２から受信した書込情報が第４記憶領域７ｄのものと一致しないこと、又は通信がエラーとなることをもって、接続状態検出部１５が「オフ」であると判定する。
【００３５】
一方、接続状態検出部１５が「オン状態」の場合には、制御信号Ｓｒの（１，１）によって第４記憶領域７ｄが選択される。このとき、制御部６（通信装置２）は、ＲＦＩＤ通信において通信相手３に応答を送信するにあたり、第４記憶領域７ｄの指定アドレス領域に書き込まれた書込情報「３Ａ」を通信相手３に送信する。
【００３６】
接続状態検出部１５がオンのとき、状態判定部１９は、自身が要求した通り、第４記憶領域７ｄの書込情報「３Ａ」を取得する。状態判定部１９は、通信装置２から受信した書込情報の正否を確認することになるが、接続状態検出部１５がオンのとき、通信装置２から受信した書込情報が、事前に知っている第４記憶領域７ｄのものと一致することをもって、接続状態検出部１５が「オン」であると判定する（通信結果が「成功」）。このように、通信相手３は、通信装置２とのＲＦＩＤ通信を通じて、間接的に接続状態検出部１５のオンオフ状態を検出することが可能となる。
【００３７】
本実施形態の構成によれば、以下に記載の効果を得ることができる。
（１）通信装置２内の記憶領域７の制御線８（第２制御線８ｂ）を装置外に引き出し、この制御線８に接続状態検出部１５を接続する。そして、通信装置２と通信相手３との近距離無線（ＲＦＩＤ通信）を通じて、通信装置２の所望の記憶領域７にアクセスして、データ読み出しを行う。このとき、接続状態検出部１５がオン状態であれば、所望のデータを読み出すことができるのに対し、接続状態検出部１５がオフ状態であると、所望のデータを読み出すことができない。このデータ読み出し結果を利用し、通信装置２の記憶領域７へのアクセス時に所望データの読み出しができるか否かを確認することにより、間接的に接続状態検出部１５のオンオフを検出する。このように、接続状態検出部１５のオンオフ状態を確認するにあたって近距離無線を利用するので、通信装置２側に電源を必要としない。よって、通信装置２に電力消費を課すことなく接続状態検出部１５の検出状態を、無線によって通信相手３に伝送することができる。
【００３８】
（２）通信装置２に一次電池等の電源を不要にすることができる。
（３）状態判定部１９を通信相手３に設けて、接続状態検出部１５の検出状態の判定を通信相手３側で行うので、この種の機能を通信装置２に設けずに済む。
【００３９】
（４）接続状態検出部１５は、スイッチ又はセンサである。よって、スイッチやセンサのオンオフ状態を、近距離無線を通じて間接的に検出することができる。
（５）制御線８を通信装置２の外部に引き出して、これを接続状態検出部１５に接続するという簡素な構成とすることができる。
【００４０】
（６）通信装置２の制御部６は、制御線８（第１制御線８ａ、第２制御線８ｂ）に出力するＨｉ信号及びＬｏ信号の組み合わせによって、特定の１つの記憶領域７を選択するように作動する。状態判定部１９は、接続状態検出部１５がオフとなったときにＨｉ信号がＬｏ状態に切り替わってしまう記憶領域７にアクセスすることにより、接続状態検出部１５のオンオフを検出する。よって、接続状態検出部１５の接続状態の確認時にアクセスする記憶領域７を最適に設定することができる。
【００４１】
（第２実施形態）
次に、第２実施形態を図４に従って説明する。なお、第２実施形態は、接続状態検出部１５の状態検出の仕方を変更した実施例である。よって、第１実施形態と同一部分には同じ符号を付して詳しい説明を省略し、異なる箇所のみ詳述する。
【００４２】
図４に示すように、本例は、制御部６が記憶領域７を制御するときの状態と、接続状態検出部１５の状態との連携を、制御部６のリードライト機能を制御することにより実現する。本例の場合、制御部６に接続状態検出部１５が接続され、制御線８は通信装置２の外部に引き出されていない。一般的に、制御部６には、記憶領域７のリード／ライトを制御する機能（リードライト制御部２５）が設けられており、このリードライト制御部２５が接続状態検出部１５の作動状態に連動する。このリードライト制御部２５は、例えば接続状態検出部１５のオンオフに連動するスイッチ手段であることが好ましい。なお、リードライト制御部２５が状態切替部１４に相当する。
【００４３】
さて、例えば接続状態検出部１５がオフのとき、リードライト制御部２５のライト機能が切れるとする。このとき、状態判定部１９は、接続状態検出部１５の状態を確認するタイミングにおいて、通信装置２と無線通信を行う。具体的には、無線通信を通じて通信装置２の特定の記憶領域７にアクセスしてデータ書き込みを行うように作動する。しかし、ライト機能がオフであることから、記憶領域７にデータ書き込みを実行できない。
【００４４】
続いて、状態判定部１９は、通信装置２との無線通信を通じて、いま書き込みを指示した記憶領域７にデータ書き込みが済んでいるか否かを確認する。ここでは、ライト機能がオフされていて正しくデータ書き込みが行われていないので、リードによって書込情報を読み出しても、データが書き変わっていないことを確認する。状態判定部１９は、記憶領域７のデータが書き替えられていないことをもって、接続状態検出部１５がオフであると判定する。
【００４５】
一方、接続状態検出部１５がオンのときは、リードライト制御部２５のライト機能が有効となっている。このため、状態判定部１９は、接続状態検出部１５のオンオフ状態を確認すべく、規定の記憶領域７にデータ書き込みを行ったとき、指示通りにデータ書き込みが完了する。よって、状態判定部１９は、データ読み出しのとき、自身が指示したデータが書き込まれていることを認識するので、接続状態検出部１５がオンであると判定する。
【００４６】
本実施形態の構成によれば、第１実施形態に記載の（１）〜（４）に加え、以下の効果を得ることができる。
（７）制御部６が予め有するリードライト機能を利用して、接続状態検出部１５のオンオフを検出することができる。
【００４７】
（第３実施形態）
次に、第３実施形態を図５に従って説明する。なお、本例も第１及び第２実施形態と異なる部分についてのみ詳述する。
【００４８】
図５に示すように、本例は、制御部６が記憶領域７を制御するときの状態と、接続状態検出部１５の状態との連携を、制御部６のアンチコリジョン機能を制御することにより実現する。本例の場合、制御部６に接続状態検出部１５が接続され、制御線８は通信装置２の外部に引き出されていない。一般的に、制御部６には、通信相手３とのデータ送受信時にアンチコリジョンの作動を制御する機能（アンチコリジョン制御部２６）が設けられており、このアンチコリジョン制御部２６が接続状態検出部１５の作動状態に連動する。このアンチコリジョン制御部２６は、例えば接続状態検出部１５のオンオフに連動してアンチコリジョンがオンオフするスイッチ手段であることが好ましい。なお、アンチコリジョン制御部２６が状態切替部１４に相当する。
【００４９】
さて、例えば接続状態検出部１５がオフのとき、アンチコリジョン制御部２６のアンチコリジョン機能がオフされるとする。このとき、状態判定部１９は、接続状態検出部１５の状態を確認するタイミングにおいて、通信装置２と無線通信を行う。状態判定部１９は、通信装置２との無線通信時、本来ならばコリジョンするはずのＩＤ（通信装置２のユニークＩＤ）がコリジョンしないことを検出する。状態判定部１９は、コリジョンが発生しないことをもって、接続状態検出部１５がオフであると判定する。
【００５０】
一方、例えば接続状態検出部１５がオンのとき、アンチコリジョン制御部２６のアンチコリジョン機能がオンされるとする。このとき、状態判定部１９は、接続状態検出部１５の状態を確認するタイミングにおいて、通信装置２と無線通信を行う。状態判定部１９は、通信装置２との無線通信時、通常通りにＩＤ（通信装置２のユニークＩＤ）がコリジョンすることを検出する。状態判定部１９は、通常通りにコリジョンが発生することをもって、接続状態検出部１５がオンであると判定する。
【００５１】
本実施形態の構成によれば、第１実施形態に記載の（１）〜（４）に加え、以下の効果を得ることができる。
（８）制御部６が予め有するアンチコリジョン機能を利用して、接続状態検出部１５のオンオフを検出することができる。
【００５２】
（第４実施形態）
次に、第４実施形態を図６〜図８に従って説明する。なお、第２実施形態は、第１実施形態の技術思想を、コネクタの半嵌合を検出する構造に適用したものである。よって、第１実施形態と同一部分には同じ符号を付して詳しい説明を省略し、異なる箇所のみ詳述する。
【００５３】
図６に示すように、コネクタ装置３０は、電気接続可能な一対のコネクタ３１，３２を備える。本例の場合、コネクタ３１がオスコネクタであり、コネクタ３２がメスコネクタとなっている。コネクタ３１には、正面が開口したハウジング３３の内部に複数の接続端子３４が設けられ、ハウジング３３の背面にワイヤーハーネス３５が設けられている。また、コネクタ３２のハウジング３６には、接続端子３４が挿し込まれる複数の挿込孔３７が設けられ、ハウジング３６の背面にワイヤーハーネス３８が設けられている。
【００５４】
本例の接続状態検出部１５は、コネクタ３１，３２が正常に嵌合したときに限り導通するような短い突状をなす一対の第１導通部４１と、第１導通部４１が接続可能な一対の第２導通部４２とを備える。本例の第１導通部４１は、コネクタ３２に設けられ、コネクタ３２の幅方向（図６のＹ軸方向）の両端に配置されている。第１導通部４１は、著しく長さが短い端子からなる。一対の第１導通部４１は、ハウジング３６に設けられた配線４３を通じて接続されている。すなわち、一対の第１導通部４１は、コネクタ３２のハウジング３６内で導通されている。
【００５５】
図７に示すように、本例の第２導通部４２は、第１導通部４１が嵌合される（挿し込まれる）凹部からなる。第２導通部４２は、例えば金属からなり、第１導通部４１の嵌め込みが可能な程度の浅い穴をもつ。
【００５６】
図８に示すように、一対の第２導通部４２の間には、前述の通信装置２（ＲＦＩＤタグ）が電気接続されている。これにより、コネクタ３１，３２が完全に嵌合すると、第１導通部４１及び第２導通部４２とが電気的に繋がり、通信装置２（ＲＦＩＤタグ）の一部分が導通状態となる。
【００５７】
さて、コネクタ３１，３２が半嵌合となっている場合、通信相手３は、ＲＦＩＤの通信において、第１導通部４１及び第２導通部４２が繋がっていないことにより、通信相手３の記憶領域７の所望の領域（第１記憶領域７ａ〜第４記憶領域７ｄ）にアクセスすることができない。すなわち、ＲＦＩＤの通信が成立しない。これをもって、通信相手３は、コネクタ３１，３２が半嵌合となっていると判定する。
【００５８】
一方、コネクタ３１，３２が完全に嵌合されている場合、通信相手３は、ＲＦＩＤの通信において、第１導通部４１及び第２導通部４２が導通状態にあることにより、通信相手３の記憶領域７の所望の領域（第１記憶領域７ａ〜第４記憶領域７ｄ）にアクセスすることができる。すなわち、ＲＦＩＤの通信が成立する。これをもって、通信相手３は、コネクタ３１，３２が完全に嵌合されていると判定する。
【００５９】
本実施形態の構成によれば、第１〜第３実施形態に記載の（１）〜（８）に加え、以下の効果を得ることができる。
（９）コネクタ３１，３２の嵌合具合に応じて接続の可否が切り替わる第１導通部４１及び第２導通部４２を設けて、コネクタ３１，３２の嵌合状態を検出する。よって、通信装置２及び通信相手３の近距離無線を通じて、コネクタ３１，３２の半嵌合を検出することができる。
【００６０】
なお、実施形態はこれまでに述べた構成に限らず、以下の態様に変更してもよい。
・各実施形態において、第４記憶領域７ｄの書込情報ではなく、例えば第２記憶領域７ｂの書込情報からオンオフを判定してもよい。
【００６１】
・各実施形態において、近距離無線は、ＲＦＩＤに限らず、例えばＮＦＣ（Near Field Communication）などの変更可能である。すなわち、通信装置２及び通信相手３が通信するにあたって、通信装置２に電力消費を課さない通信形式（パッシブタイプ）であればよい。
【００６２】
・各実施形態において、接続状態検出部１５は、接続のオンオフを検出できるものであればよい。
・各実施形態において、記憶領域７の個数は、適宜変更することができる。
【００６３】
・各実施形態において、状態判定部１９を通信装置２に設けて通信装置２側でオンオフを判定し、判定結果を無線によって通信相手３に通知するようにしてもよい。
・各実施形態において、第１制御線８ａがＧＮＤに接続されていてもよい。
【００６４】
・第４実施形態において、一対の第１導通部４１のうち一方がコネクタ３１に形成され、他方がコネクタ３２に形成されてもよい。
・第４実施形態において、第１導通部４１は、オスコネクタに設けられてもよい。
【００６５】
・第４実施形態において、通信装置２（ＲＦＩＤタグ）は、メスコネクタに設けられてもよい。
・各実施形態において、通信システム１は、車載装置に適用されることに限定されず、種々の装置や機器に適用することが可能である。
【００６６】
次に、上記実施形態及び別例から把握できる技術的思想について、以下に追記する。
（イ）オンオフ状態を検出可能な接続状態検出部の検出状態を、近距離無線を通じて通信相手に送信する通信装置において、前記通信装置の制御部が当該通信装置の記憶領域を制御するときの状態を、前記接続状態検出部の状態に応じて切り替えることが可能な状態切替部を備え、複数設けられた前記記憶領域のうち特定の記憶領域にアクセスすることによって、規定の読み出し結果を得ることができたか否かを確認することにより、前記接続状態検出部がオン又はオフのいずれの状態にあるのかが判定されることを特徴とする通信装置。
【符号の説明】
【００６７】
１…通信システム、２…通信装置、３…通信相手、６…制御部、７…記憶領域、７ａ…第１記憶領域、７ｂ…第２記憶領域、７ｃ…第３記憶領域、７ｄ…第４記憶領域、８…制御線、８ａ…第１制御線、８ｂ…第２制御線、１４…状態切替部、１５…接続状態検出部、１９…状態判定部、２５…リードライト制御部、２６…アンチコリジョン制御部、３１，３２…コネクタ、４１…導通部（第１導通部）、４２…導通部（第２導通部）。
【図１】
2017097617.tif 000003
【図２】
2017097617.tif 000004
【図３】
2017097617.tif 000005
【図４】
2017097617.tif 000006
【図５】
2017097617.tif 000007
【図６】
2017097617.tif 000008
【図７】
2017097617.tif 000009
【図８】
2017097617.tif 000010